(57)【要約】【課題】衝撃による通話の瞬断をより効果的に防ぐことができる瞬断防止装置および電話機を提供する。【解決手段】本発明の一実施形態に係るストッパ１２０は、衝撃を受けた場合に電話機のフックボタン１１０に当接するように動作する係止部１２２を備え、係止部は、フックボタンに当接することによってフックボタンの移動を止める。このような構成により、電話機に衝撃が加わっても、フックボタンが意図せず移動して通話が瞬断することが防止される。【選択図】図２
2019004432.tif 000002
【特許請求の範囲】
【請求項１】
衝撃を受けた場合に電話機のフックボタンに当接するように動作する係止部を備え、
前記係止部は、前記フックボタンに当接することによって前記フックボタンの移動を止めることを特徴とする、瞬断防止装置。
【請求項２】
前記フックボタンは第１の軸を中心として揺動するように構成され、
前記係止部は、前記第１の軸に当接することによって前記フックボタンの移動を止めることを特徴とする、請求項１に記載の瞬断防止装置。
【請求項３】
前記第１の軸には受け部が設けられ、
前記係止部は、前記受け部に嵌合することによって前記フックボタンの移動を止めることを特徴とする、請求項２に記載の瞬断防止装置。
【請求項４】
前記衝撃を受けていない場合に前記係止部を前記第１の軸から引き離す引きばねをさらに備えることを特徴とする、請求項２又は３に記載の瞬断防止装置。
【請求項５】
前記係止部は、前記第１の軸の上方に設けられており、前記衝撃を受けた場合に第２の軸を中心として揺動するように構成されていることを特徴とする、請求項２〜４のいずれか一項に記載の瞬断防止装置。
【請求項６】
前記フックボタンは前記電話機の外部に露出するボタン部、および前記電話機の内部において前記ボタン部から延在するフックレバーを有し、
前記係止部は、前記フックレバーに当接することによって前記フックボタンの移動を止めることを特徴とする、請求項１に記載の瞬断防止装置。
【請求項７】
前記係止部は、前記フックレバーの下方に設けられており、前記衝撃を受けた場合に第２の軸を中心として揺動するように構成され、
前記第２の軸を基準として前記係止部とは反対側に設けられた荷重部をさらに備え、
前記第２の軸を基準として前記係止部側よりも前記荷重部側の方が重いように重量バランスが設定されることを特徴とする、請求項６に記載の瞬断防止装置。
【請求項８】
フックボタンと、
請求項１〜７のいずれか一項に記載の瞬断防止装置と、
を備える電話機。
【発明の詳細な説明】
【技術分野】
【０００１】
本発明は、通話の瞬断を防ぐための瞬断防止装置および電話機に関する。
【背景技術】
【０００２】
据え置き型の電話機は、マイクおよびスピーカを有するハンドセット、および電話番号を入力するためのボタン等を有する筐体を備える。筐体上でハンドセットが載置される場所には、フックボタンが設けられている。電話機は、ハンドセット又は利用者の手でフックボタンが押下されることによって、通話の開始、通話の終了、あるいは通話の転送モードへの移行等、通話状態の切り替えを行う。
【０００３】
通常ハンドセットはケーブルを介して筐体に接続されているため、利用者によってハンドセットが引っ張られると、筐体が宙に浮いてしまう。そして筐体が落下する際に、筐体は大きな衝撃を受け得る。この衝撃によってフックボタンが移動してスイッチが意図せずＯＮ又はＯＦＦになると、実行中の通話が瞬断されてしまう場合がある。
【０００４】
ソフトウェアでスイッチのＯＮ又はＯＦＦから通話状態の切り替えまでの時間を制御することによって衝撃による瞬断を防ぐことが可能であるが、これはソフトウェアで通話の制御を行わない電話機には適用できない。そのため、電話機に衝撃による通話の瞬断を防止するための物理的な機構を設けることが望ましい。
【０００５】
特許文献１には、フックボタンの軸を長孔に沿って移動可能に構成することによって、電話機に振動等が加わる際の誤動作を防止する技術が記載されている。
【先行技術文献】
【特許文献】
【０００６】
【特許文献１】特開２０１０−２３３１８９号公報
【発明の概要】
【発明が解決しようとする課題】
【０００７】
しかしながら、特許文献１に記載の技術では、衝撃に起因する誤動作の防止効果は、フックボタンの軸が挿入される長孔の長さに依存する。すなわち、衝撃によってフックボタンの軸が長孔の端まで移動した場合には、それ以上誤動作を防止できなくなる。したがって、電話機に想定よりも大きい衝撃が加わる場合にはフックボタンが動作してしまうため、誤動作の防止効果は限定的である。
【０００８】
本発明は、上述の問題に鑑みて行われたものであって、衝撃による通話の瞬断をより効果的に防ぐことができる瞬断防止装置および電話機を提供することを目的とする。
【課題を解決するための手段】
【０００９】
本発明の一態様は、瞬断防止装置であって、衝撃を受けた場合に電話機のフックボタンに当接するように動作する係止部を備え、前記係止部は、前記フックボタンに当接することによって前記フックボタンの移動を止めることを特徴とする。
【発明の効果】
【００１０】
本発明によれば、衝撃による通話の瞬断を効果的に防ぐことができる。
【図面の簡単な説明】
【００１１】
【図１】第１の実施形態に係る電話機の上面図である。
【図２】第１の実施形態に係る電話機の断面図である。
【図３】第１の実施形態に係るストッパの周辺構造の斜視図である。
【図４】第１の実施形態に係るフックボタンの斜視図である。
【図５】第１の実施形態に係るストッパの動作を説明するための模式図である。
【図６】第１の実施形態に係るストッパの動作を説明するための電話機の断面図である。
【図７】第２の実施形態に係る筐体の斜視図である。
【図８】第２の実施形態に係るストッパの斜視図である。
【図９】第２の実施形態に係るストッパの周辺構造の斜視図である。
【図１０】第２の実施形態に係る衝撃が加わっていない場合のストッパの周辺構造の斜視図である。
【図１１】第２の実施形態に係る衝撃が加わっている場合のストッパの周辺構造の側面図である。
【図１２】第２の実施形態に係るストッパの変形例の側面図である。
【図１３】各実施形態に係る電話機の概略構成図である。
【発明を実施するための形態】
【００１２】
以下、図面を参照して、本発明の実施形態を説明するが、本発明は本実施形態に限定されるものではない。なお、以下で説明する図面で、同機能を有するものは同一符号を付け、その繰り返しの説明は省略することもある。
【００１３】
（第１の実施形態）
図１は、本実施形態に係る電話機１００の上面図である。電話機１００は、筐体１３０（ハウジング）を備え、筐体１３０内にはフックボタン１１０が設けられる。筐体１３０上には、電話番号を入力するためのボタン、入力内容を表示するディスプレイ、呼び出し音を出力するスピーカ等が設けられる。筐体１３０には貫通孔１３１が設けられ、貫通孔１３１を介してフックボタン１１０の一部が筐体１３０の外部に露出している。フックボタン１１０上には、通話のためのマイクおよびスピーカを有するハンドセット（不図示）が載置される。
【００１４】
図２は、図１のＡ−Ａ線から見た本実施形態に係る電話機１００の断面図である。図３は、本実施形態に係る電話機１００のうちストッパ１２０の周辺構造の斜視図である。図３では、視認性のためにフックボタン１１０およびストッパ１２０を覆う部分の筐体１３０およびフックボタン１１０のボタン部１１１が省略されている。図４は、本実施形態に係るフックボタン１１０の斜視図である。
【００１５】
筐体１３０の内部空間には、フックボタン１１０およびストッパ１２０が設けられる。筐体１３０は、フックボタン１１０を揺動可能に支持する軸受け１３２、およびストッパ１２０を揺動可能に支持する軸受け１３３を備える。
【００１６】
フックボタン１１０は、筐体１３０の外部に露出するボタン部１１１、ボタン部１１１から延在するフックレバー１１２、およびフックレバー１１２を揺動させるためのフック軸１１３（第１の軸）を備える。
【００１７】
ボタン部１１１は、筐体１３０上に載置されるハンドセットに当接する構造である。ボタン部１１１の裏側（筐体１３０の内部側）には押しばねであるフックばね１１５が設けられている。フックばね１１５の一端はボタン部１１１に固定され、他端は筐体１３０に固定される。フックばね１１５は、例えばボタン部１１１および筐体１３０にそれぞれ設けられた円形の突起（円ボスともいう）にはめ込まれることによって固定される。
【００１８】
フックばね１１５は、ボタン部１１１を筐体１３０の外部に向けて付勢する。ボタン部１１１は、フックばね１１５によって筐体１３０に押し付けられている状態では、貫通孔１３１を通って筐体１３０の外部空間に所定の厚さで突出する。フックばね１１５の付勢力は、ハンドセットの重量よりも小さいように構成される。そのため、ボタン部１１１上にハンドセットが置かれると、ボタン部１１１はハンドセットの重量によって筐体１３０の内部方向に移動する。そして、ボタン部１１１からハンドセットが取り除かれると、ボタン部１１１はフックばね１１５の付勢力によって筐体１３０の外部方向に移動する。
【００１９】
フックレバー１１２は、ボタン部１１１から一方向に延在する構造である。フックレバー１１２にはフック軸１１３が設けられている。フック軸１１３は円柱状であり、図２の奥側および手前側のフックレバー１１２の側面に突出するように設けられている。フック軸１１３は、フックレバー１１２に固定された独立の部材でもよい。あるいは、フックレバー１１２の一部がフック軸１１３の形状（すなわち円形の突起状）に成形されてもよい。
【００２０】
フック軸１１３の中心軸は、ボタン部１１１の移動方向に対して垂直な方向に設定される。フック軸１１３は筐体１３０の軸受け１３２に回転可能に支持され、フックレバー１１２は外力によってフック軸１１３を中心に揺動する。これにより、フックレバー１１２の一端に設けられたボタン部１１１が移動する。
【００２１】
フック軸１１３上には、ストッパ受け部１１４が設けられる。ストッパ受け部１１４は、後述のストッパ１２０の係止部１２２が嵌合する所定の形状を有する構造である。本実施形態では、ストッパ受け部１１４はフック軸１１３の長手方向に延在する２つの突出部からなる形状である。ストッパ受け部１１４は、フック軸１１３に固定された独立の部材でもよい。あるいは、フック軸１１３の一部がストッパ受け部１１４の形状に成形されてもよい。ストッパ１２０の係止部１２２がストッパ受け部１１４に嵌合した状態では、フック軸１１３は回転することができない。ストッパ受け部１１４は、ストッパ１２０の係止部１２２が嵌合可能であれば、凸部、凹部又はそれらの組み合わせ等、任意の形状とすることができる。
【００２２】
フックボタン１１０の下方には、不図示のフックスイッチが設けられる。フックスイッチの位置は、電話機１００の構成によって任意に設定される。フックスイッチがフック軸１１３を基準としてボタン部１１１側に設けられる場合には、ボタン部１１１が押下された状態でフックスイッチがフックレバー１１２により押下されてＯＮになり、ボタン部１１１が押下されていない状態でフックスイッチがフックレバー１１２によって押下されなくなりＯＦＦになる。フックスイッチがフック軸１１３を基準としてボタン部１１１の反対側に設けられる場合には、ボタン部１１１が押下されていない状態でフックスイッチがフックレバー１１２により押下されてＯＮになり、ボタン部１１１が押下された状態でフックスイッチがフックレバー１１２によって押下されなくなりＯＦＦになる。電話機１００は、フックスイッチがＯＮ又はＯＦＦになることに応じて、通話を開始し、通話を終了し、あるいは通話の転送モードへ移行する。ここに示した具体的な構成に限られず、フックボタン１１０の移動状態に従って電話機１００の通話状態を切り替え可能な任意の構成を用いることができる。
【００２３】
ストッパ１２０は、本実施形態に係る瞬断防止装置であり、衝撃によって移動する可動体１２１、フックボタン１１０のフック軸１１３に当接して回転を止める係止部１２２、および可動体１２１を揺動させるためのストッパ軸１２３（第２の軸）を備える。ストッパ１２０は、フック軸１１３の上方に設けられる。
【００２４】
可動体１２１は、ストッパ１２０の外部からの衝撃に応じて係止部１２２を移動させる構造である。可動体１２１は板状であり、一端には係止部１２２が設けられており、他端にはストッパ軸１２３が設けられている。可動体１２１の形状は、これに限られず、柱状等の任意の形状とすることができる。
【００２５】
ストッパ軸１２３は円柱状であり、図２の奥側および手前側の可動体１２１の側面に突出するように設けられている。ストッパ軸１２３は、可動体１２１に固定された独立の部材でもよい。あるいは、可動体１２１の一部がストッパ軸１２３の形状（すなわち円形の突起状）に成形されてもよい。
【００２６】
ストッパ軸１２３の中心軸は、可動体１２１の移動方向に対して垂直な方向に設定される。ストッパ軸１２３は筐体１３０の軸受け１３３に回転可能に支持され、可動体１２１はストッパ１２０に加わる衝撃によってストッパ軸１２３を中心に揺動する。これにより、可動体１２１の一端に設けられた係止部１２２が移動する。
【００２７】
可動体１２１を挟んでフック軸１１３とは反対側には、引きばねであるストッパばね１２４が設けられる。ストッパばね１２４の一端は可動体１２１に固定され、他端は筐体１３０に固定される。ストッパばね１２４は、例えば可動体１２１および筐体１３０にそれぞれ設けられた円形の突起（円ボスともいう）にはめ込まれることによって固定される。
【００２８】
ストッパばね１２４は、可動体１２１をフック軸１１３から引き離す方向（すなわち上方）に付勢する。ストッパばね１２４の付勢力は、ストッパ１２０の重量よりも少し大きいように構成される。これにより、ストッパ１２０に衝撃が加わると可動体１２１はフック軸１１３に近付く方向（すなわち下方）へ移動し、衝撃がなくなると可動体１２１は元の位置（すなわち上方）に戻る。
【００２９】
係止部１２２は、フックボタン１１０のストッパ受け部１１４に嵌合する所定の形状を有する構造である。本実施形態では、係止部１２２は、フックボタン１１０のストッパ受け部１１４の２つの突出部の間に挟まる形状である。係止部１２２は、可動体１２１に固定された独立の部材でもよい。あるいは、可動体１２１の一部が係止部１２２の形状に成形されてもよい。係止部１２２がフックボタン１１０のストッパ受け部１１４に嵌合した状態では、フック軸１１３は回転することができない。係止部１２２は、フック軸１１３のストッパ受け部１１４に嵌合可能であれば、凸部、凹部又はそれらの組み合わせ等、任意の形状とすることができる。
【００３０】
図５（ａ）、５（ｂ）は、ストッパ１２０の動作を説明するための模式図である。図６（ａ）、６（ｂ）は、ストッパ１２０の動作を説明するための電話機１００の断面図である。図５（ａ）および図６（ａ）はストッパ１２０が動作していない状態を示し、図５（ｂ）および図６（ｂ）はストッパ１２０が動作している状態を示す。図５（ａ）および図６（ａ）に示すように、ストッパ１２０に衝撃が加わっていない状態では、可動体１２１はストッパばね１２４によってフック軸１１３から離れる方向に付勢されるため、係止部１２２はストッパ受け部１１４に当接しない初期位置（第１の位置）に位置する。この状態でフックボタン１１０が押下されると、フックボタン１１０はフック軸１１３を中心として揺動し、フックボタン１１０の下方に設けられたフックスイッチ（不図示）をＯＮ又はＯＦＦに切り替える。
【００３１】
一方、図５（ｂ）および図６（ｂ）に示すように、ストッパ１２０に下方向（すなわちフックボタン１１０の押下方向）の衝撃Ｂが加わっている状態では、可動体１２１に自重に加えて衝撃Ｂの力が下方向に加わるため、可動体１２１はストッパばね１２４の上方向の付勢力を突破する。そのため、可動体１２１は衝撃Ｂによって下方向に移動し、それに伴って係止部１２２はフック軸１１３に近付く方向に移動する。そして係止部１２２はストッパ受け部１１４に当接して嵌合する係止位置（第２の位置）に位置する。係止部１２２がストッパ受け部１１４に嵌合することによってフック軸１１３の回転が止められるため、この状態ではフックボタン１１０は下方向に移動することができず、衝撃Ｂによってフックボタン１１０がフックスイッチ（不図示）をＯＮ又はＯＦＦに切り替えることがない。そして衝撃Ｂが無くなると、可動体１２１はストッパばね１２４の付勢力によって上方向に移動し、初期位置に戻る。
【００３２】
このようにストッパ１２０は、衝撃を受けるとフックボタン１１０のフック軸１１３に近付いて当接するように動作することによって、フック軸１１３の回転を止めることができる。これにより、通話中に電話機１００に衝撃が加わった場合であっても、フックボタン１１０が移動して通話の瞬断が発生することを防止することができる。
【００３３】
本実施形態では、ストッパ１２０の係止部１２２はフック軸１１３に設けられたストッパ受け部１１４に嵌合することによってフック軸１１３の回転を止めるが、この構成に限られない。フック軸１１３の回転を止めることができれば、ストッパ受け部１１４が設けられなくてもよい。この場合には、例えば係止部１２２の表面をフック軸１１３の表面に対する摩擦係数の高い材料で形成する。このような構成によれば、係止部１２２をフック軸１１３に当接させた際の摩擦力が大きいため、フック軸１１３の回転を阻害してフックボタン１１０の移動を止めることができる。
【００３４】
本実施形態では、ストッパ１２０の可動体１２１がストッパ軸１２３を中心として揺動することによって係止部１２２をフックボタン１１０に当接させるが、この構成に限られない。衝撃によって係止部１２２をフックボタン１１０に当接させることができれば、その他任意の方法を用いることができる。例えばストッパ軸１２３を一方向に沿って並進可能に支持するレールを設け、衝撃によって可動体１２１が該レールに沿って並進するように構成してもよい。
【００３５】
本実施形態に係るストッパ１２０は、衝撃を受けると、フックボタン１１０に当接してフックボタン１１０の移動を阻害するように動作する。このような構成により、電話機１００に衝撃が加わっても、フックボタン１１０が意図せず移動して通話が瞬断することが防止される。本実施形態は物理的な機構によって通話の瞬断を防止するため、ソフトウェアによる通話の制御を必要としない。
【００３６】
（第２の実施形態）
第１の実施形態ではストッパが衝撃を受けた際にフックボタンの回転軸に当接することによって通話の瞬断を防止するが、本実施形態ではストッパがフックボタンのレバーに当接することによって通話の瞬断を防止する。本実施形態において、フックボタンの構成は第１の実施形態と同様であるが、筐体およびストッパの構成は第１の実施形態と異なる。
【００３７】
図７は、本実施形態に係る筐体２３０の斜視図である。図７においては、筐体２３０のフックボタンの周辺部分のみが示されており、その他の部分は省略されている。また、視認性のために、筐体２３０の貫通孔２３１よりも手前の部分は省略されている。
【００３８】
筐体２３０にはフックボタン１１０を筐体２３０の外部に露出させるための貫通孔２３１が設けられる。さらに筐体２３０は、フックボタン１１０を揺動可能に支持する軸受け２３２、および後述のストッパ２２０を揺動可能に支持する軸受け２３３を備える。
【００３９】
図８は、本実施形態に係るストッパ２２０の斜視図である。ストッパ２２０は、本実施形態に係る瞬断防止装置であり、衝撃によって移動する可動体２２１、フックボタン１１０のフックレバー１１２に当接して回転を止める係止部２２２、および可動体２２１を揺動させるためのストッパ軸２２３を備える。
【００４０】
可動体２２１は、ストッパ２２０の外部からの衝撃に応じて係止部２２２を移動させる構造である。可動体２２１は板状であり、一端には係止部２２２が設けられており、他端には荷重部２２４が設けられている。係止部２２２および荷重部２２４の間の可動体２２１の側面には、ストッパ軸２２３が設けられている。可動体２２１の形状は、これに限られず、柱状等の任意の形状とすることができる。
【００４１】
ストッパ軸２２３は円柱状であり、図８の奥側および手前側の可動体２２１の側面に突出するように設けられている。ストッパ軸２２３は、可動体２２１に固定された独立の部材でもよい。あるいは、可動体２２１の一部がストッパ軸２２３の形状（すなわち円形の突起状）に成形されてもよい。
【００４２】
ストッパ軸２２３の中心軸は、可動体２２１の移動方向に対して垂直な方向に設定される。ストッパ軸２２３は筐体２３０の軸受け２３３に回転可能に支持される。可動体２２１の長手方向Ｃに沿った重量バランスは、ストッパ軸２２３を基準として係止部２２２側よりも荷重部２２４側の方が重いように設定される。それとともに、重量バランスは、ハンドセットがフックボタン１１０上に載置されてハンドセットの重量が係止部２２２に加わっている場合に、荷重部２２４側よりも係止部２２２側の方が重いように設定される。係止部２２２が重量バランスを調整するために、荷重部２２４を係止部２２２よりも大きくしてもよく、あるいは荷重部２２４を係止部２２２よりも比重の大きい材料で形成してもよい。このような構成により、ストッパ２２０に衝撃が加わった際に、荷重部２２４が下方に下がることによって係止部２２２が上方に力を加えてフックボタン１１０のフックレバー１１２を係止する。
【００４３】
図９は、本実施形態に係るストッパ２２０の周辺構造の斜視図である。フックボタン１１０は、ボタン部１１１が筐体２３０の貫通孔２３１から筐体２３０の外部に露出するように設けられる。フックボタン１１０の下方には、フックスイッチ１１６が設けられる。ここではフックスイッチ１１６はフック軸１１３を基準としてボタン部１１１に近い側に設けられている。フックスイッチ１１６の反力（すなわちフックスイッチ１１６がＯＦＦになる方向の力）は、フックボタン１１０の重量よりも大きく、かつフックボタン１１０の重量およびハンドセット１４０の重量の合計よりも小さいように設定される。そのため、ハンドセット１４０がボタン部１１１上に載置された状態ではフックスイッチ１１６はフックレバー１１２によって押下されてＯＮになり、ハンドセット１４０が取り除かれている状態ではフックスイッチ１１６はフックレバー１１２によって押下されずにＯＦＦになる。フックスイッチ１１６がＯＮ又はＯＦＦになる条件は、フックスイッチ１１６を設置する場所によって変わる。
【００４４】
フックボタン１１０の下方には、ストッパ２２０が設けられる。ストッパ２２０の位置は、上方に持ち上がった状態の係止部２２２がフックレバー１１２に当接するように設定される。
【００４５】
図１０（ａ）〜１０（ｃ）は、衝撃が加わっていない場合のストッパ２２０の周辺構造の斜視図である。図１０（ａ）は、ハンドセット１４０がフックボタン１１０上に載置される前の状態を示す。この状態では、ストッパ２２０において荷重部２２４側が係止部２２２側よりも重いため、係止部２２２が上方に持ち上げられている。また、フックボタン１１０はフックスイッチ１１６の反力によって上方に持ち上げられている。
【００４６】
図１０（ｂ）は、ハンドセット１４０がフックボタン１１０上に載置される途中の状態を示す。この状態では、フックボタン１１０にハンドセット１４０の重量が加わるため、フックスイッチ１１６が押下される。また、ストッパ２２０もハンドセット１４０の重量によって下方に押下される。
【００４７】
図１０（ｃ）は、ハンドセット１４０がフックボタン１１０上に載置された後の状態を示す。この状態ではフックスイッチ１１６が最後まで押下されてフックボタン１１０が停止し、それに伴ってストッパ２２０も停止している。そしてハンドセット１４０がフックボタン１１０上から取り除かれると、図１０（ａ）の状態に戻る。
【００４８】
図１１は、衝撃が加わっている場合のストッパ２２０の周辺構造の側面図である。図１１において、視認性のために筐体２３０のフックボタン１１０よりも手前の部分は省略されている。ストッパ２２０に下方向（すなわちフックボタン１１０の押下方向）の衝撃Ｂが加わる際に、可動体２２１の重量バランスが係止部２２２側よりも荷重部２２４側の方が重いように設定されているため、ストッパ軸２２３を中心として可動体２２１が図１１の時計回りに揺動する。これにより、荷重部２２４が下方向Ｄに移動すると同時に、係止部２２２が上方向Ｅに移動する。ストッパ２２０のこのような動作によって、係止部２２２がフックボタン１１０に当接してフックボタン１１０が上方向に係止される。この状態ではフックボタン１１０は下方向に移動することができず、衝撃Ｂによってフックボタン１１０がフックスイッチ１１６をＯＮ又はＯＦＦに切り替えることがない。
【００４９】
なお、ここで下方向の衝撃Ｂを問題にしているのは、上方向（すなわちフックボタン１１０の押下方向の逆方向）の衝撃はフックスイッチ１１６をＯＮ又はＯＦＦに切り替えることがないため、通話の瞬断の原因にならないためである。
【００５０】
ストッパ２２０はストッパ軸２２３のみで固定されているため、振動等によってビリツキが発生する場合がある。これを防ぐために、図１２（ａ）のようにストッパ２２０にばね２２５を設けてもよい。ばね２２５の一端はストッパ２２０に固定され、他端は筐体２３０に固定される。ばね２２５は引きばね又は押しばねであり、その付勢力はストッパ２２０の重量バランスを考慮して適宜設定される。ばね２２５が重量バランスを調整することによって、振動等に起因するビリツキが発生することを抑制することができる。
【００５１】
また、図１２（ｂ）のようにストッパ２２０がフックボタン１１０に接触する部分（すなわち係止部２２２の表面）に防振ゴム２２６を設けてもよい。これによって振動等に起因するビリツキが発生することを抑制することができる。
【００５２】
第１の実施形態と同様に、本実施形態に係るストッパ２２０は、衝撃を受けると、フックボタン１１０に当接してフックボタン１１０の移動を阻害するように動作する。このような構成により、電話機１００に衝撃が加わっても、フックボタン１１０が意図せず移動して通話が瞬断することが防止される。本実施形態は物理的な機構によって通話の瞬断を防止するため、ソフトウェアによる通話の制御を必要としない。
【００５３】
（その他の実施形態）
図１３は、上述の各実施形態に係る瞬断防止装置の概略構成図である。図１３には、衝撃による通話の瞬断をより効果的に防ぐことができる瞬断防止装置の構成例が示されている。ストッパ１２０、２２０は、衝撃を受けた場合に電話機のフックボタンに当接するように動作する係止部１２２、２２２を備え、前記係止部は、前記フックボタンに当接することによって前記フックボタンの移動を止める。
【００５４】
本発明は、上述の実施形態に限定されることなく、本発明の趣旨を逸脱しない範囲において適宜変更可能である。
【００５５】
上記の実施形態の一部又は全部は、以下の付記のようにも記載されうるが、以下には限られない。
【００５６】
（付記１）
衝撃を受けた場合に電話機のフックボタンに当接するように動作する係止部を備え、
前記係止部は、前記フックボタンに当接することによって前記フックボタンの移動を止めることを特徴とする、瞬断防止装置。
【００５７】
（付記２）
前記フックボタンは第１の軸を中心として揺動するように構成され、
前記係止部は、前記第１の軸に当接することによって前記フックボタンの移動を止めることを特徴とする、付記１に記載の瞬断防止装置。
【００５８】
（付記３）
前記第１の軸には受け部が設けられ、
前記係止部は、前記受け部に嵌合することによって前記フックボタンの移動を止めることを特徴とする、付記２に記載の瞬断防止装置。
【００５９】
（付記４）
前記衝撃を受けていない場合に前記係止部を前記第１の軸から引き離す引きばねをさらに備えることを特徴とする、付記２又は３に記載の瞬断防止装置。
【００６０】
（付記５）
前記係止部は、前記第１の軸の上方に設けられており、前記衝撃を受けた場合に第２の軸を中心として揺動するように構成されていることを特徴とする、付記２〜４のいずれか一項に記載の瞬断防止装置。
【００６１】
（付記６）
前記フックボタンは前記電話機の外部に露出するボタン部、および前記電話機の内部において前記ボタン部から延在するフックレバーを有し、
前記係止部は、前記フックレバーに当接することによって前記フックボタンの移動を止めることを特徴とする、付記１に記載の瞬断防止装置。
【００６２】
（付記７）
前記係止部は、前記フックレバーの下方に設けられており、前記衝撃を受けた場合に第２の軸を中心として揺動するように構成され、
前記第２の軸を基準として前記係止部とは反対側に設けられた荷重部をさらに備え、
前記第２の軸を基準として前記係止部側よりも前記荷重部側の方が重いように重量バランスが設定されることを特徴とする、付記６に記載の瞬断防止装置。
【００６３】
（付記８）
フックボタンと、
付記１〜７のいずれか一項に記載の瞬断防止装置と、
を備える電話機。
【符号の説明】
【００６４】
１００  電話機
１１０  フックボタン
１１２  フックレバー
１１３  フック軸
１１４  ストッパ受け部
１２０、２２０  ストッパ
１２２、２２２  係止部
１２３、２２３  ストッパ軸
１２４  ストッパばね
２２４  荷重部
【図１】
2019004432.tif 000003
【図２】
2019004432.tif 000004
【図３】
2019004432.tif 000005
【図４】
2019004432.tif 000006
【図５】
2019004432.tif 000007
【図６】
2019004432.tif 000008
【図７】
2019004432.tif 000009
【図８】
2019004432.tif 000010
【図９】
2019004432.tif 000011
【図１０】
2019004432.tif 000012
【図１１】
2019004432.tif 000013
【図１２】
2019004432.tif 000014
【図１３】
2019004432.tif 000015
【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
衝撃を受けた場合に電話機のフックボタンに当接するように動作する係止部を備え、
前記係止部は、
前記フックボタンに嵌合して前記フックボタンに当接することによって前記フックボタンの移動を止める
ことを特徴とする瞬断防止装置。
【請求項２】
前記フックボタンは第１の軸を中心として揺動するように構成され、
前記係止部は、
前記第１の軸に嵌合して前記第１の軸に当接することによって前記フックボタンの移動を止める
ことを特徴とする請求項１に記載の瞬断防止装置。
【請求項３】
前記第１の軸には受け部が設けられ、
前記係止部は、
前記受け部に嵌合することによって前記フックボタンの移動を止める
ことを特徴とする請求項２に記載の瞬断防止装置。
【請求項４】
前記衝撃を受けていない場合に前記係止部を前記第１の軸から引き離す引きばねをさらに備える
ことを特徴とする請求項２又は３に記載の瞬断防止装置。
【請求項５】
前記係止部は、
前記第１の軸の上方に設けられており、
前記衝撃を受けた場合に第２の軸を中心として揺動するように構成されている
ことを特徴とする請求項２〜４のいずれか一項に記載の瞬断防止装置。
【請求項６】
衝撃を受けた場合に電話機のフックボタンに当接するように動作する係止部を備え、
前記フックボタンは、
前記電話機の外部に露出するボタン部、および
前記電話機の内部において前記ボタン部から延在するフックレバー
を有し、
前記係止部は、
前記フックレバーの下方に設けられており、
前記衝撃を受けた場合に第２の軸を中心として揺動するように構成され、
前記第２の軸を基準として前記係止部とは反対側に設けられた荷重部をさらに備え、
前記第２の軸を基準として前記係止部側よりも前記荷重部側の方が重いように重量バランスが設定され、
前記係止部は、
前記フックレバーに当接することによって前記フックボタンの移動を止める
ことを特徴とする瞬断防止装置。
【請求項７】
フックボタンと、
請求項１〜６のいずれか一項に記載の瞬断防止装置と、
を備える電話機。